(57)【特許請求の範囲】
【請求項１】
複数の光学部材が取り付く可動部材と、前記可動部材を覆うカバー本体と、を有し、前記可動部材が前記カバー本体内で回動することにより顕微鏡の光路に入る前記光学部材を切換え可能とし、前記光学部材が顕微鏡の光路に入る毎に前記可動部材が位置決めされる、顕微鏡の光学部材切換え装置において、
前記カバー本体の上部カバーの外面に前記可動部材の移動方向に沿う所定の範囲内に設けられた複数の開口部と、
前記カバー本体の上部カバーの外面において前記所定の範囲内で前記複数の開口部に沿い前記可動部材の移動方向に相互に隣接して並べて設けられ、前記複数の光学部材の種類を表す複数の種別表示部材と、
前記可動部材に前記複数の光学部材に対応して設けられ、前記カバー本体内での前記可動部材の回動により前記複数の開口部の１つに位置して視認可能になる複数の種別指標部と、
を具備し、
前記可動部材の回動により前記複数の光学部材の一つが前記顕微鏡の光路に入った時に、この一つの光学部材に対応している前記複数の種別指標部の一つが前記複数の開口部の１つに位置して視認可能になるとともに前記複数の種別表示部材の中のこの一つの光学部材の種類を表す一つの種別表示部材を指す、
ことを特徴とする顕微鏡の光学部材切換え装置。
【請求項２】
前記複数の開口部は前記カバー本体の上部カバーの外面に前記可動部材の移動方向に沿う前記所定の範囲内に相互に隣接して円弧状に設けられ、
前記複数の種別表示部材は前記カバー本体の上部カバーの外面に前記複数の開口部に沿い相互に隣接して円周状に並べて設けられている、
ことを特徴とする請求項１に記載の顕微鏡の光学部材切換え装置。
【請求項３】
前記複数の種別指標部の数と前記複数の種別表示部材の数とが同じである、
ことを特徴とする請求項１又は２のいずれか１項に記載の顕微鏡の光学部材切換え装置。
【請求項４】
前記複数の開口部の数が前記複数の種別表示部材の数と同じであり、
前記複数の種別表示部材は前記カバー本体の上部カバーの外面に前記可動部材の移動方向に沿う前記所定の範囲内に相互に隣接して円周状に並べて設けられており、
前記複数の開口部は前記カバー本体の上部カバーの外面に前記可動部材の移動方向に沿う前記所定の範囲内に相互に離間しているとともに前記複数の種別表示部材の近傍で前記複数の種別表示部材に対応して設けられている、
ことを特徴とする請求項１に記載の顕微鏡の光学部材切換え装置。
【請求項５】
前記複数の種別指標部の数が前記複数の種別表示部材の数よりも１つ少なく、
前記複数の種別指標部の中の１つは、前記複数の光学部材の中の所定の１つが顕微鏡の光路に入るときに前記複数の種別表示部材の中の前記所定の１つの光学部材に対応した所定の１つの種別表示部材を指し、前記複数の光学部材の中の所定の他の１つが顕微鏡の光路に入るときに前記複数の種別表示部材の中の前記所定の他の１つの光学部材に対応した所定の他の１つの種別表示部材を指す、
ことを特徴とする請求項１又は２に記載の顕微鏡の光学部材切換え装置。
【請求項６】
前記複数の開口部は前記カバー本体の上部カバーの外面に前記可動部材の移動方向に沿う前記所定の範囲内に相互に隣接して円弧状に離間して設けられ、
前記複数の種別表示部材は前記カバー本体の上部カバーの外面に前記複数の開口部に沿う前記所定の範囲内に相互に隣接して直線状に並べて設けられている、
ことを特徴とする請求項１に記載の顕微鏡の光学部材切換え装置。
【請求項７】
複数の光学部材が取り付く可動部材と、前記可動部材を覆うカバー本体と、を有し、前記可動部材が前記カバー本体内で回動することにより顕微鏡の光路に入る前記光学部材を切換え可能とし、前記光学部材が顕微鏡の光路に入る毎に前記可動部材が位置決めされる、顕微鏡の光学部材切換え装置において、
前記カバー本体の上部カバーの外面に前記可動部材の移動方向に沿う所定の範囲内に設けられた１つの開口部と、
前記カバー本体の上部カバーの外面において前記所定の範囲内で前記１つの開口部に沿い前記可動部材の移動方向に相互に隣接して並べて設けられ、前記複数の光学部材の種類を表す複数の種別表示部材と、
前記可動部材に前記複数の光学部材に対応して設けられ、前記カバー本体内での前記可動部材の回動により前記１つの開口部に位置して視認可能になる複数の種別指標部と、
を具備しており、
前記可動部材の回動により前記複数の光学部材の一つが前記顕微鏡の光路に入った時に、この一つの光学部材に対応している前記複数の種別指標部の一つが前記１つの開口部に位置して視認可能になるとともに前記複数の種別表示部材の中のこの一つの光学部材の種類を表す一つの種別表示部材を指す、
ことを特徴とする顕微鏡の光学部材切換え装置。
【請求項８】
前記１つの開口部は前記カバー本体の上部カバーの外面に前記可動部材の移動方向に沿う前記所定の範囲内に円弧状に設けられ、
前記複数の種別表示部材は前記カバー本体の上部カバーの外面に前記１つの開口部に沿い円周状に並べて設けられている、
ことを特徴とする請求項７に記載の顕微鏡の光学部材切換え装置。
【請求項９】
前記複数の種別指標部の数と前記複数の種別表示部材の数とが同じである、
ことを特徴とする請求項７又は８のいずれか１項に記載の顕微鏡の光学部材切換え装置。
【請求項１０】
前記複数の種別指標部の数が前記複数の種別表示部材の数よりも１つ少なく、
前記複数の種別指標部の中の１つは、前記複数の光学部材の中の所定の１つが顕微鏡の光路に入るときに前記複数の種別表示部材の中の前記所定の１つの光学部材に対応した所定の１つの種別表示部材を指し、前記複数の光学部材の中の所定の他の１つが顕微鏡の光路に入るときに前記複数の種別表示部材の中の前記所定の他の１つの光学部材に対応した所定の他の１つの種別表示部材を指す、
ことを特徴とする請求項７又は８に記載の顕微鏡の光学部材切換え装置。
【発明の詳細な説明】
【０００１】
【発明の属する技術分野】
本発明は、観察目的に応じて異なる光学部材を切換えて使用する、蛍光顕微鏡、ＤＩＣ、位相差顕微鏡等に適用される顕微鏡の光学部材切換え装置に関する。
【０００２】
【従来の技術】
この種の光学部材切換え装置が用いられる、蛍光顕微鏡、位相差顕微鏡について説明する。
【０００３】
図２４は、蛍光顕微鏡における光学系の構成を示す図である。一般に、蛍光顕微鏡は特定の波長の波長域の光を励起光として試料に照射し、この試料から発せられる励起光より長波長の蛍光を観察するものである。光源１８から発せられた光は、光路１６を進み、励起フィルター１７で選択された波長の光のみが透過される。その後、短波長の光を反射し長波長の光を透過させる特性を持つダイクロイックミラー１２にて、光が顕微鏡光路１３へ反射される。この反射された光は、対物レンズ１４にて標本１５を励起し、標本１５からは蛍光が発せられる。
【０００４】
蛍光は、対物レンズ１４で取り込まれ、ダイクロイックミラー１２を透過する。その後、バリアフィルター１１にて余分な蛍光が吸収され、バリアフィルター１１を透過した蛍光のみが結像面１０に結像され観察される。一般に、励起フィルター１７、ダイクロイックミラー１２、バリアフィルター１１は、フィルターカセット１９として、使用される試薬の特性毎に複数用意され、光学部材切換え装置にて観察目的に合わせ切換えられて使用される。
【０００５】
図２５は、位相差顕微鏡における光学系の構成を示す図である。位相差顕微鏡とは、周囲の色や濃度の変化がなく、明視野観察では観察できない標本を観察する際に、標本の持つ位相情報を、光の干渉を利用し明暗の差に変換して観察する顕微鏡である。コンデンサレンズ２３の前側焦点位置で顕微鏡の光路１３に対し環状に配置されたリングスリット２４を通過した光は、標本２２を照明し対物レンズ２１の後側焦点位面の位相リング２０に結像する。
【０００６】
位相リング２０を通過した光は１／４波長位相が変化し、１次像面２５に至る。また、標本２２にて回析された１次光は対物レンズ２１の後側焦点面では全体に分布しているため、位相板の影響は受けずに１次像面２５に結像する。そのため、標本２２による回析により位相が１／４波長異なる１次光と直接光が干渉するため、対物レンズの種別に合わせリングスリット２４が切換えて使用される。リングスリット２４はコンデンサに備わる光学部材切換え装置により切換えられる。そのため、顕微鏡の光学部材切換え装置では、装着した光学部材の種類を表示する手段が必要であった。
【０００７】
【発明が解決しようとする課題】
しかしながら従来の技術では、例えば光学部材が８個取り付く円柱状のコンデンサーターレットのように、装着できる光学部材の個数が多数になった顕微鏡の光学部材切換え装置では、以下のような問題が生じる。
【０００８】
すなわち、装着可能な光学部材の種別をあらわす種別表示部材を指す指標部が、開口部中に１個のみ現れ、光学部材の種類を指し示す場合は、開口部の開口範囲は３６０゜／８＝４５゜になり、種別表示部材が設けられる表示範囲もこれに対応する。このため、この範囲に種別表示部材を設ける場合、種別表示部材が小さくなりすぎて種類判別は難しくなる。
【０００９】
またこの場合、取り付く光学部材の個数がｎ個のときは、開口部の開口範囲は３６０゜／ｎとなり、装着できる光学部材の個数が多くなればなるほど開口範囲は小さくなり、設けられる種別表示部材の個々の大きさも小さくなり、種類判別は難しくなる。また、前記の場合と異なり、種別表示部材を指す指標部が開口部中に複数あらわれても良いとすると、種別表示部材を大きくできるが、複数の種別表示部材を複数の指標部が指してしまい、種類判別ができない等の欠点があった。
【００１０】
本発明はこのような事情に鑑みてなされたもので、大きな種別表示部材を用いることができ、種類判別がし易くなることで操作性が向上する顕微鏡の光学部材切換え装置を提供することを目的とする。
【００１１】
【課題を解決するための手段】
課題を解決し目的を達成するために、本発明の顕微鏡の光学部材切換え装置は以下の如く構成されている。
【００１２】
（１）本発明の顕微鏡の光学部材切換え装置は：
複数の光学部材が取り付く可動部材と、前記可動部材を覆うカバー本体と、を有し、前記可動部材が前記カバー本体内で回動することにより顕微鏡の光路に入る前記光学部材を切換え可能とし、前記光学部材が顕微鏡の光路に入る毎に前記可動部材が位置決めされる、顕微鏡の光学部材切換え装置において、
前記カバー本体の上部カバーの外面に前記可動部材の移動方向に沿う所定の範囲内に設けられた複数の開口部と、
前記カバー本体の上部カバーの外面において前記所定の範囲内で前記複数の開口部に沿い前記可動部材の移動方向に相互に隣接して並べて設けられ、前記複数の光学部材の種類を表す複数の種別表示部材と、
前記可動部材に前記複数の光学部材に対応して設けられ、前記カバー本体内での前記可動部材の回動により前記複数の開口部の１つに位置して視認可能になる複数の種別指標部と、
を具備し、
前記可動部材の回動により前記複数の光学部材の一つが前記顕微鏡の光路に入った時に、この一つの光学部材に対応している前記複数の種別指標部の一つが前記複数の開口部の１つに位置して視認可能になるとともに前記複数の種別表示部材の中のこの一つの光学部材の種類を表す一つの種別表示部材を指す、
ことを特徴とする。
【００１５】
（２）本発明の顕微鏡の光学部材切換え装置は：
複数の光学部材が取り付く可動部材と、前記可動部材を覆うカバー本体と、を有し、前記可動部材が前記カバー本体内で回動することにより顕微鏡の光路に入る前記光学部材を切換え可能とし、前記光学部材が顕微鏡の光路に入る毎に前記可動部材が位置決めされる、顕微鏡の光学部材切換え装置において、
前記カバー本体の上部カバーの外面に前記可動部材の移動方向に沿う所定の範囲内に設けられた１つの開口部と、
前記カバー本体の上部カバーの外面において前記所定の範囲内で前記１つの開口部に沿い前記可動部材の移動方向に相互に隣接して並べて設けられ、前記複数の光学部材の種類を表す複数の種別表示部材と、
前記可動部材に前記複数の光学部材に対応して設けられ、前記カバー本体内での前記可動部材の回動により前記１つの開口部に位置して視認可能になる複数の種別指標部と、
を具備しており、
前記可動部材の回動により前記複数の光学部材の一つが前記顕微鏡の光路に入った時に、この一つの光学部材に対応している前記複数の種別指標部の一つが前記１つの開口部に位置して視認可能になるとともに前記複数の種別表示部材の中のこの一つの光学部材の種類を表す一つの種別表示部材を指す、
ことを特徴とする。
【００２２】
【発明の実施の形態】
（第１の実施の形態）
図１は、本発明の光学部材切換え装置を適用した顕微鏡全体の構成を示す図である。この顕微鏡は、試料４７と、顕微鏡本体１の下方に配置され試料４７を透過照明するための光源９を備えている。光源９から発した光は、試料４７方向に偏向部材５５（ミラー等）で偏向され、コンデンサターレット７，コンデンサレンズ２３を通って、ステージ受４３を介してステージ６に載置されている試料４７に照射される。
【００２３】
さらに、光軸（光路）１３上の試料４７の像は、レボルバ４に保持された複数の対物レンズ５のいずれかで拡大され、鏡筒２を介して接眼レンズ５６で拡大され、観察される。観察者は、試料４７の像を接眼レンズ５６で観察し、その方向から対物レンズ５やコンデンサターレット７，コンデンサレンズ２３の切換えを行なう。
【００２４】
顕微鏡本体１と鏡筒２に配置されている落射投光管３は、落射光源８の照明光を偏向部材５５で光軸１３の方向へ偏向する。偏向された照明光は、対物レンズ５を介して試料４７を照明し、試料４７からの光は透過照明と同様に接眼レンズ５６で拡大され、観察される。
【００２５】
図２５に示した透過による位相差観察の光学系では、光源９からの光はリングスリット２４を通って、コンデンサレンズ２３を介して試料４７を照明し、試料４７からの光は、リングスリット２４に対応した位置で且つ対物レンズ２１の瞳に配置された位相膜２０で瞳変調されて、位相差観察される。リングスリット２４、コンデンサレンズ２３、対物レンズ２１、及び位相膜２０は光軸１３上に配置されている。位相差観察を行なう場合、複数の対物レンズ５に対応した多くのリングスリット２４が必要である。
【００２６】
図２は、顕微鏡の光学部材切換え装置の一つである図１におけるコンデンサターレット７の全体構成を示す外観図であり、図３はその部分断面図である。
【００２７】
図３において、底部２７はオスアリ２６でステージ受４３に固定され、光軸１３上に配置されている。コンデンサターレット７は、底部２７に一体に形成された上部カバー２９と、可動の支点となる回転軸３０で回転可能に支持されているターレット部２８からなり、このターレット部２８にリングスリット等の多数の光学素子２４が着脱可能になっている。回転軸３０は図１の光軸１３より観察者側に位置する。さらに、ターレット部２８に設けられたＶ溝３６と、底部２７の穴３３に入れられたバネ３４及びボール３５とで係止機構が形成されており、ターレット部２８の光学素子２４が光軸１３上に来たときに係止される。
【００２８】
ターレット部２８には、半径Ｒの円周上に８つの光学素子２４が等角度４５゜毎に配置されており、各光学素子２４の外径と嵌合する段差３１を持つ孔が設けられている。ターレット部２８は、薄い円板状をなしている。ターレット部２８は、回転軸３０を中心軸にして回転が可能であり、光軸１３と回転軸３０との距離はＲである。
【００２９】
底部２７の内側上面２７ａには、回転軸３０を中心とする半径ｒの円周上に穴３３が未貫通に設けられており、この穴３３にバネ３４とボール３５が挿入されている。ターレット部２８の底面２８ｂには、回転軸３０を中心とする半径ｒの円周上に、Ｖ字型の断面を有する８つのＶ溝３６が設けられている。底部２７の内側上面２７ａとターレット部の底面２８ｂとは接近しているため、ボール３５は常にターレット部２８の底面２８ｂを押圧している。
【００３０】
このターレット部２８の回転により、Ｖ溝３６の頂点が底部２７の穴３３の中心に一致した位置でバネ３４が最も伸びるため、ターレット部２８の位置が安定する。このように、各光学素子２４の中心軸が光軸１３と一致する８箇所でターレット部２８が位置決めされるよう、穴３３およびＶ溝３６を設けている。
【００３１】
上部カバー２９の表示（操作）面２９ａには、８個の種別表示部材３７（３７ａ〜３７ｈ）を円周状に並べて取り付け可能な凹部等のような取り付け部３８が設けられている。８個の種別表示部材３７（３７ａ〜３７ｈ）には、対物レンズ５に応じて使い分ける光学素子２４の種別を示すＰＨ１０、ＰＨ２０といった略号が明記されている。また、取り付け部３８と種別表示部材３７の一方を磁石、他方を磁性部材で構成しているため、種別表示部材３７を取り付け部３８に着脱することが可能である。
【００３２】
ターレット部２８の表示（操作）面２８ａには、位置指標部３９と種別指標部４０がそれぞれ八ヶ所に設けられており、上部カバー２９の操作面２９ａ側には、開口部４１ａ，４１ｂと固定指標４２が設けられている。位置指標部３９は、ターレットの上面から見て、光学素子２４の中心軸が光軸１３と一致するとき、光軸１３と回転軸３０を結ぶ直線上に位置するよう、８箇所に設けられている。固定指標４２は、上部カバー２９の上面から見て、光軸１３と回転軸３０を結ぶ直線上の光軸１３と対向する位置に設けられている。
【００３３】
図４は、コンデンサターレット７の上面図である。図４に示すように、複数の種別指標部４０は、回転軸３０を中心にして半径ｒ１上に４個（４０ａ〜４０ｄ）、半径ｒ２上に４個（４０ｅ〜４０ｈ）設けられている。なお、ｒ２＞ｒ１である。すなわち各種別指標部４０は、ターレット部２８が可動し位置決めされる毎に、上部カバー２９上に円周状に並んだ種別表示部材３７ａ〜３７ｈを順番に指していくように設けられている。
【００３４】
また、ターレット部２８の操作面側２９ａから種別指標部（４０ａ〜４０ｈ）が見えるように、上部カバー２９に円弧状の開口部４１が、回転軸３０を中心にして半径ｒ１上に１個（４１ａ）、半径ｒ２上に１個（４１ｂ）設けられている。
【００３５】
図では、種別指標部４０ａ〜４０ｈのうち開口部４１ａまたは４１ｂに位置して視認可能な状態にあるものを黒丸印で、上部カバー２９に覆われて見えない状態のものをハッチングを施した丸印で表している。
【００３６】
半径ｒ１系では、光軸１３上に光学素子２４ａがある場合、これに対応する種別指標部４０ａは、回転軸３０をはさんだ光学素子２４ａの反対側から、回転軸３０に対して時計回りに３９．４゜ずれるように配置されている。これに対応する種別指示部材３７ａは、光軸１３と回転軸３０とを含む直線に対して時計回りに３９．４゜ずれるように配置されている。
【００３７】
同様に、光学素子２４ｂの場合は、種別指標部４０ｂと種別表示部材３７ｂは２８．１゜、光学素子２４ｃの場合は、種別指標部４０ｃと種別表示部材３７ｃは１６．９゜、光学素子２４ｄの場合は、種別指標部４０ｄと種別表示部材３７ｄは５．６゜、それぞれ時計回りにずれるように配置されている。
【００３８】
半径ｒ２系では、光軸１３上に光学素子２４ｅがある場合、これに対応する種別指標部４０ｅは、回転軸３０をはさんだ光学素子２４ｅの反対側から、回転軸３０に対して反時計回りに５．６゜ずれるよう配置されている。これに対応する種別表示部材３７ｅは、光軸１３と回転軸３０とを含む直線に対して反時計回りに５．６゜ずれるよう配置されている。
【００３９】
同様に、光学素子２４ｆの場合は、種別指標部４０ｆと種別表示部材３７ｆは１６．９゜、光学素子２４ｇの場合は、種別指標部４０ｇと種別表示部材３７ｃは２８．１゜、光学素子２４ｈの場合は、種別指標部４０ｈと種別表示部材３７ｄは３９．４゜、それぞれ反時計回りにずれるよう配置されている。
【００４０】
なお、光学素子２４が８個装着できる回動式のコンデンサターレット７では、上部カバー２９上に開口部４１（４１ａ、４１ｂ）が設けられる最大範囲は、３６０゜を装着できる光学素子２４の数で割り、それに開口部の数を掛けた範囲になる。つまり、３６０゜÷８×２＝９０゜の範囲を利用できる。また、これに対応して種別表示部材３７（３７ａ〜３７ｈ）の表示範囲を９０°にすることができる。
【００４１】
そして、ターレット部２８に装着される各種光学素子２４（２４ａ〜２４ｈ）の並び順と、各種別指標部４０（４０ａ〜４０ｈ）が指す上部カバー２９に取り付けられる各種種別表示部材３７（３７ａ〜３７ｈ）の並び順とが対応するように、各光学素子２４の外径と嵌まり合う各段差３１の位置の近傍に、番号等の並び順指示指標部３２（３２ａ〜３２ｈ）が設けられている。
【００４２】
次に、上記のように構成された光学部材切換え装置の動作について説明する。図２、図３に示すような回動式のコンデンサターレット７において、ターレット部２８が回転し、Ｖ溝３６が穴３３と一致すると、ターレット部２８が位置決めされる。その際、ターレット部２８に設けられている位置指標部３９は、上部カバー２９上に設けられている開口部４１（４１ａ、４１ｂ）内に現れ、光軸１３と回転軸３０とを結ぶ直線上で、光軸１３に対向して位置する。
【００４３】
このとき、上部カバー２９上の固定指標４２と上部カバー２９の開口部４１（４１ａ、４１ｂ）から見えるターレット部２８の操作面２８ａ上の位置指標部３９とが一致しているため、目視でも位置決めされたことが認識できる。
【００４４】
次に図４に沿って説明する。光軸１３上に光学素子２４ｂがある図４の状態から、目的とする光学素子２４ｃに変更する際、現在種別指標部４０ｂが指す種別表示部材３７ｂと、切換え目的先の光学素子２４ｃの種類を表す種別表示部材３７ｃとの位置関係にしたがって、ターレット部２８を種別表示部材３７の並び順と同じ方向である反時計回りに回転させる。ターレット部２８は、光学素子２４ｃが光軸１３に入り位置決めされるまで回転させる。同様にして、種別表示部材３７の並び順を見ることで、目的とする光学素子２４に変更する際のターレット部２８の回転方向と回転量が認識できる。
【００４５】
回転途中で種別指標部４０ｃが目的とする光学素子２４ｃと異なる種類の種別表示部材３７を指す位置にくるが、位置指標部３９が固定指標４２と一致していない、またはＶ溝３６が穴３３と一致しておらず位置決めされていないことから、目的とする光学素子２４ｃが位置決めされた状態ではなく、切換え途中であることが認識できる。
【００４６】
また、光学素子２４ｂが光学素子２４ｃに切り換わるとき、種別指標部材３７ｂを指していた種別指標部４０ｂは開口部４１ａから外れ上部カバー２９の下に隠れ、種別指標部４０ｃが開口部４１ａ内に現われ種別指標部材３７ｃを指し示すことになる。
【００４７】
図２、図３、図４に示したような光学素子２４が８個装着できる回動式のコンデンサターレット７では、約９０゜の範囲内で、開口部４１を複数設けることにより（４１ａ、４１ｂ）、単一開口の複数倍の種別表示部材４０の表示範囲を利用可能となる。よって、各種別表示部材３７（３７ａ〜３７ｈ）の大きさを各開口に対応させて大きくできるため、表示が分かりやすくなる。これにより、操作性が向上する。
【００４８】
また、装着されている光学素子２４の全ての種別、現在顕微鏡の光路中にある光学素子２４の種別、光学素子を切換える際目的とする光学素子２４への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【００４９】
（第１の実施の形態の変形例１）
図５は、第１の実施の形態の変形例を示す光学素子２４（２４ａ〜２４ｈ）が８個装着できる回動式のコンデンサターレット７の上面図である。図５において図４と同一な部分には同符号を付してある。
【００５０】
図４では、種別表示部材３７は上部カバー２９上に円周状に並べて設けられたが、必ずしも円周状に並べる必要はない。例えば図５に示すように、各種別表示部材３７（３７ａ〜３７ｈ）をそれぞれ指し示す種別指標部４０（４０ａ〜４０ｈ）とそれぞれ対応して認識できるような対応指標５６（５６ａ〜５６ｈ）を設ければ、種別表示部材３７を直線状等に並べて設けてもよい。
【００５１】
（第１の実施の形態の変形例２）
第１の実施の形態においては、ターレット部２８と底部２７との間にクリックによる位置決め機構を用いてあり、位置決めされたことが容易に認識できるので、位置指標部３９は必ずしも必要としない。
【００５２】
（第１の実施の形態の変形例３）
第１の実施の形態においては、ターレット部２８が位置決めされると、位置指標部３９は光軸１３と回転軸３０とを結ぶ直線上で、光軸１３と対向して位置するよう開口部４１内にあらわれ、容易に認識できたり、また上述のような位置決め機構による場合と同様に容易に認識できるので、固定指標４２は必ずしも必要としない。
【００５３】
（第１の実施の形態の変形例４）
図６は、第１の実施の形態の変形例を示す光学素子２４が奇数個装着できる回動式のコンデンサターレット７の上面図である。図６において図４と同一な部分には同符号を付してある。例えば、図６に示すコンデンサターレット７では、光学素子２４が９個装着可能である。
【００５４】
コンデンサターレット７にて開口部４１（４１ａ、４１ｂ）が設けられる範囲は、装着できる光学素子２４の数がｎ個、開口部の数がｍ個の場合は、一般に３６０゜÷ｎ×ｍとなり、単一開口の場合のｍ倍の範囲を利用できる。よってこの場合、図６に示すように前記範囲は約３６０゜÷９×２＝８０゜となる。
【００５５】
同様に、種別表示部材３７の表示範囲もそれに対応した範囲を利用できるので、種別表示部材３７も大きくできる。
【００５６】
また、この変形例では、第１の実施の形態と同様に、上部カバー２９上に種別表示部材３７（３７ａ〜３７ｉ）と開口部４１（４１ａ、４１ｂ）を、ターレット部２８上に種別指標部４０（４０ａ〜４０ｉ）を設けており、回転軸３０を中心とする。
【００５７】
図６に示すように、半径ｒ１上に種別指標部４０を５個（４０ａ〜４０ｅ）と開口部４１ａを、開口部４１ａに対応した周上に種別表示部材３７を５個（３７ａ〜３７ｅ）、半径ｒ２上に種別指標部４０を４個（４０ｆ〜４０ｉ）と開口部４１ｂを、開口部４１ｂに対応した周上に種別表示部材３７を４個（３７ｆ〜３７ｉ）設けている。
【００５８】
なお、種別表示部材３７、開口部４１、種別指標部４０を設ける位置については、回転軸３０を中心とする半径ｒ１上に種別指標部４０を４個（４０ａ〜４０ｄ）と開口部４１ａを、開口部４１ａの周上に種別表示部材３７を４個（３７ａ〜３７ｄ）、半径ｒ２上に種別指標部４０を５個（４０ｅ〜４０ｉ）と開口部４１ｂを、開口部４１ｂの周上に種別表示部材３７を５個（３７ｅ〜３７ｉ）設けてもよい。
【００５９】
半径ｒ１系では、光軸１３上に光学素子２４ａがある場合、これに対応する種別指標部４０ａは、回転軸３０をはさんだ光学素子２４ａの反対側から、回転軸３０に対して時計回りに４０．４゜ずれるように配置されている。これに対応する種別表示部材３７ａは、光軸１３と回転軸３０とを含む直線に対して時計回りに４０．４゜ずれるように配置されている。
【００６０】
同様に、光学素子２４ｂの場合は、種別指標部４０ｂと種別表示部材３７ｂは３１．６゜、光学素子２４ｃの場合は、種別指標部４０ｃと種別表示部材３７ｃは２２．８゜、光学素子２４ｄの場合は、種別指標部４０ｄと種別表示部材３７ｄは１４゜、光学素子２４ｅの場合は、種別指標部４０ｅと種別表示部材３７ｅは４．８゜、それぞれ時計回りにずれるように配置されている。
【００６１】
半径ｒ２系では、光軸１３上に光学素子２４ｆがある場合、これに対応する種別指標部４０ｆは、回転軸３０をはさんだ光学素子２４ｆの反対側から、回転軸３０に対して反時計回りに４．８゜ずれるよう配置されている。これに対応する種別表示部材３７ｆは、光軸１３と回転軸３０とを含む直線に対して反時計回りに４．８゜ずれるよう配置されている。
【００６２】
同様に、光学素子２４ｇの場合は、種別指標部４０ｇと種別表示部材３７ｇは１４゜、光学素子２４ｈの場合は、種別指標部４０ｈと種別表示部材３７ｈは２２．８゜、光学素子２４ｉの場合は、種別指標部４０ｉと種別表示部材３７ｉは３１．６゜、反時計回りにずれるよう配置されている。
【００６３】
上記のような光学素子２４が９個の場合と同様に考えて、装着できる光学素子２４が奇数個の場合において、例えば、光学素子２４が５個装着可能な回動式のコンデンサターレット７では、開口部４１（４１ａ、４１ｂ）は最大３６０゜÷５×２＝１４４゜の範囲を利用可能となり、それに対応した種別表示部材３７の表示範囲が得られ、各種別表示部材３７も大きくできる。
【００６４】
同様にして、光学素子２４が７個装着可能な回動式のコンデンサターレット７では、開口部４１（４１ａ、４１ｂ）は最大３６０゜÷７×２＝１０２．８゜の範囲を利用可能となり、それに対応した種別表示部材３７の表示範囲が得られ、各種別表示部材３７も大きくできる。
【００６５】
同様にして、光学素子２４が１１個装着可能な回動式のコンデンサターレット７では、開口部４１（４１ａ、４１ｂ）は最大３６０゜÷１１×２＝６５．５゜の範囲を利用可能となり、それに対応した種別表示部材３７の表示範囲が得られ、各種別表示部材３７も大きくできる。
【００６６】
同様にして、光学素子２４が１３個装着可能な回動式のコンデンサターレット７では、開口部４１（４１ａ、４１ｂ）は最大３６０゜÷１３×２＝５５゜の範囲を利用可能となり、それに対応した種別表示部材３７の表示範囲が得られ、各種別表示部材３７も大きくできる。
【００６７】
なお、上記のように光学素子２４が奇数個装着可能な場合、コンデンサターレット７の回転軸３０を中心とする半径ｒ１系に奇数個の種別指標部４０と開口部４１ａを、開口部４１ａの周上に奇数個の種別表示部材３７を設け、半径ｒ２に偶数個の種別指標部４０と開口部４１ｂを、開口部４１ｂの周上に偶数個の種別表示部材３７を設けている。
【００６８】
また、これとは逆に、半径ｒ１系に偶数個の種別指標部４０と開口部４１ａを、開口部４１ａの周上に偶数個の種別表示部材３７を設け、半径ｒ２に奇数個の種別表示部材４０と開口部４１ｂを、開口部４１ｂの周上に奇数個の種別表示部材３７を設けてもよい。
【００６９】
（第１の実施の形態の変形例５）
第１の実施の形態に示したような光学素子２４を８個装着可能な回動式のコンデンサターレット７のように光学素子２４を偶数個装着可能なコンデンサターレット７の場合、例えば、光学素子２４が４個装着可能な回動式のコンデンサターレット７では、開口部４１（４１ａ、４１ｂ）は最大３６０゜÷４×２＝１８０゜の範囲を利用可能となり、それに対応した種別表示部材３７の表示範囲が得られ、各種別表示部材３７も大きくできる。
【００７０】
同様にして、光学素子２４を６個装着可能な回動式のコンデンサターレット７では、開口部４１（４１ａ、４１ｂ）は最大３６０゜÷６×２＝１２０゜の範囲を利用可能となり、それに対応した種別表示部材３７の表示範囲が得られ、各種別表示部材３７も大きくできる。
【００７１】
また、光学素子２４を１０個装着可能な回動式のコンデンサターレット７では、開口部４１（４１ａ、４１ｂ）は最大３６０゜÷１０×２＝７２゜の範囲を利用可能となり、それに対応した種別表示部材３７の表示範囲が得られ、各種別表示部材３７も大きくできる。
【００７２】
また、光学素子２４を１２個装着可能な回動式のコンデンサターレット７では、開口部４１（４１ａ、４１ｂ）は最大３６０゜÷１２×２＝６０゜の範囲を利用可能となり、それに対応した種別表示部材３７の表示範囲が得られ、各種別表示部材３７も大きくできる。
【００７３】
上記のように光学素子２４が偶数個装着可能な場合には、コンデンサターレット７の回転軸３０を中心とする半径ｒ１上に偶数個の種別指標部４０と開口部４１ａを、開口部４１ａの周上に偶数個の種別表示部材３７を設け、半径ｒ２上に偶数個の種別指標部４０と開口部４１ｂを、開口部４１ｂの周上に偶数個の種別表示部材３７を設けている。
【００７４】
（第２の実施の形態）
第２の実施の形態では、第１の実施の形態と同様に、位相差顕微鏡に用いる光学素子２４を装着可能な回動式のコンデンサターレット７に、本発明の光学部材切換え装置を適用した場合を説明する。
【００７５】
図７は、本第２の実施の形態によるコンデンサターレット７の上面図である。図７の構成は、第１の実施の形態とほぼ同じであるが、開口部４１が複数ではなく、単一の開口部４１で構成されているところが異なる。
【００７６】
この場合、ターレット部２８が位置決めされ、顕微鏡の光路中に光学素子２４ｄが入っているとき、開口部４１中に種別指標部４０が複数（４０ｃ、４０ｄ、４０ｅ）見える。しかし、一つの種別指標部４０ｄのみが、光路中の光学素子２４ｄの種類を示す種別表示部材３７ｄを指している構成となっている。
【００７７】
図７において、上部カバー２９の上面から見て回転軸３０と光軸１３とを含む直線を中心として、時計回り方向をｒ１系、反時計回り方向をｒ２系とする。ｒ１系では、回転軸３０を中心にして顕微鏡の光軸１３上に光学素子２４ａがある場合、これに対応する種別指標部４０ａは、回転軸３０をはさんだ光学素子２４ａの反対側から、回転軸３０に対して時計回りに３５゜ずらして配置されている。これに対応する種別表示部材３７ａは、光軸１３と回転軸３０とを含む直線に対して時計回りに３５゜ずらして配置されている。
【００７８】
同様に、光学素子２４ｂの場合は、種別指標部４０ｂと種別表示部材３７ｂは２５゜、光学素子２４ｃの場合は、種別指標部４０ｃと種別表示部材３７ｃは１５゜、光学素子２４ｄの場合は、種別指標部４０ｄと種別表示部材３７ｄは５゜、それぞれ時計回りにずらして配置されている。
【００７９】
ｒ２系では、光軸１３上に光学素子２４ｅがある場合、これに対応する種別指標部４０ｅは、回転軸３０をはさんだ光学素子２４ｅの反対側から、回転軸３０に対して反時計回りに５゜ずらして配置されている。これに対応する種別表示部材３７ｅは、光軸１３と回転軸３０とを含む直線に対して反時計回りに５゜ずらして配置されている。
【００８０】
同様に、光学素子２４ｆの場合は、種別指標部４０ｆと種別表示部材３７ｆは１５゜、光学素子２４ｇの場合は、種別指標部４０ｇと種別表示部材３７ｇは２５゜、光学素子２４ｈの場合は、種別指標部４０ｈと種別表示部材３７ｈは３５゜、反時計回りにずらして配置される。
【００８１】
次に、上記のように構成された光学部材切換え装置の動作について説明する。図２、図３に示すような回動式のコンデンサターレット７において、ターレット部２８が回転して、Ｖ溝３６が穴３３と一致すると、ターレット部２８の位置決めがされる。その際、ターレット部２８に設けられている位置指標部３９は、上部カバー２９の上面に設けられている開口部４１内に現れ、光軸１３と回転軸３０とを結ぶ直線上で、光軸１３に対向して位置する。
【００８２】
このとき、上部カバー２９上の固定指標４２と上部カバー２９上の開口部４１から見えるターレット部２８の操作面２８ａ上の位置指標部３９とが一致しているため、目視でも位置決めされたことが認識できる。
【００８３】
次に図７に沿って説明する。図７の状態から、目的とする光学素子２４ｅに変更する際、現在種別指標部４０ｄが指す種別表示部材３７ｄと、切換え目的先の光学素子２４ｅの種類を表す種別表示部材３７ｅとの隣合う位置関係より、ターレット部２８を反時計回りに回転させる。ターレット部２８は、光学素子２４ｅが光軸１３に入り位置決めされるまで回転させる。同様にして、種別表示部材３７の並び順を見ることで、目的とする光学素子２４に変更する際にターレット部２８の回転方向と回転量が認識できる。
【００８４】
回転途中で識別指標部４０ｅが目的とする光学素子２４ｅと異なる種類の種別表示部材３７を指す位置にくるが、位置指標部３９が固定指標４２と一致していない、またはＶ溝３６が穴３３と一致しておらず位置決めされていないことから、目的とする光学素子２４ｅが位置決めされた状態ではなく、切換え途中であることが認識できる。
【００８５】
また、光学素子２４ｄが光学素子２４ｅに切り換わるとき、種別指標部材３７ｄを指していた種別指標部４０ｄは、種別指標部材３７ｄを指す位置から外れ、種別指標部４０ｅが開口部４１内で種別指標部材３７ｅを指し示す。
【００８６】
図２、図３、図７に示したような光学素子２６が８個装着できる回動式のコンデンサターレット７では、顕微鏡の光路中に光学素子２４ｄが入り、ターレット部２８が位置決めされると、開口部４１中には複数の種別指標部４０（４０ｃ、４０ｄ、４０ｅ）が見えてしまう。しかし、一つの種別指標部４０ｄのみが、現在顕微鏡の光路中に入っている光学素子２４ｄの種類を表す種別表示部材３７ｄのみを指すことで種類判別を可能にしている。これにより、種別表示部材３７の大きさは第１の実施の形態と若干異なるが、大きいまま用いることができ、操作性が向上する。
【００８７】
また、装着されている光学素子２４の全ての種別、現在顕微鏡の光路中にある光学素子２４の種別、光学部材を切換える際目的とする光学素子２４への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【００８８】
（第２の実施の形態の変形例）
図８は、第２の実施の形態の変形例を示すコンデンサターレット７の上面図である。図８において図７と同一な部分には同符号を付してある。
【００８９】
図８に示すように、構成は第２の実施の形態とほぼ同様であるが、例えば顕微鏡の光路中に光学素子２４ｄがあるとき、その光学素子の種類を表す上部カバー２９ａ上の種別表示部材３７ｄを指す種別指標部４０ｄが見える開口部４１ｄを一つ設けている構成となっている。
【００９０】
同様に、可動部材であるターレット部２８の切換え毎に、光路中に入る光学素子２４の種類を表す種別表示部材３７を指す種別指標部４０が見えるよう、各光学素子２４ａ〜２４ｈに対応させて一つづつ開口部４１ａ〜４１ｈを設けているところが第２の実施の形態と異なる。なお、種別表示部材３７は、第２の実施の形態と同様に配置している。
【００９１】
図８に示すように、開口部４１ａは種別表示部材３７ａ近傍に配置しており、同様に各開口部（４１ｂ〜４１ｈ）は、各種別表示部材（３７ｂ〜３７ｈ）と対応するようアルファベット順に配置している。
【００９２】
図２、図３、図８に示したような回動式コンデンサターレット７において、ターレット部２８が回転して、Ｖ溝３６が穴３３と一致すると、ターレット部２８が位置決めされる。その際、ターレット部２８に設けられている位置指標部３９は、上部カバー２９の上面に設けられている開口部４１内に現れ、光軸１３と回転軸３０とを結ぶ直線上で、光軸１３に対向して位置する。
【００９３】
このとき、上部カバー２９上の固定指標４２と上部カバー２９上の開口部４１から見えるターレット部２８の操作面２８ａ上の位置指標部３９とが一致しているため、目視でも位置決めされたことが認識できる。
【００９４】
次に図８に沿って説明する。図８の状態から、目的とする光学素子２４ｅに変更する際、現在種別指標部４０ｄが指す種別表示部材３７ｄと、切換え目的先の光学素子２４ｅの種類を表す種別表示部材３７ｅとの隣合う位置関係より、ターレット部２８を反時計回りに回転させる。ターレット部２８は、光学素子２４ｅが光軸１３に入り位置決めされるまで回転させる。同様にして、種別表示部材３７の並び順を見ることで、目的とする光学素子２４に変更する際のターレット部２８の回転方向と回転量が認識できる。
【００９５】
回転途中で種別指標部４０ｅが目的とする光学素子２４ｅと異なる種類の種別表示部材３７を指す位置にくるが、位置指標部３９が固定指標４２と一致していない、またはＶ溝３６が穴３３と一致しておらず位置決めされていないことから、目的とする光学素子２４ｅが位置決めされた状態ではなく、切換え途中であることが認識できる。
【００９６】
また、光学素子２４ｄが光学素子２４ｅに切り換わるとき、開口部４１ｄから見える種別指標部３７ｄを指していた種別指標部４０ｄは、種別指標部を指す位置から外れ、種別指標部４０ｅが開口部４１ｅ内に現われ種別指標部材３７ｅを指し示すことになる。
【００９７】
図２、図３、図８に示したような光学素子２６が８個装着できる回動式のコンデンサターレット７では、顕微鏡の光路中に光学素子２４ｄが入り、ターレット部２８が位置決めされると、第２の実施の形態においては、開口部４１中に複数の種別指標部４０（４０ｃ、４０ｄ、４０ｅ）が見えてしまった。しかし図８では、開口部４１を複数（４１ａ〜４１ｈ）設けたため、例えば開口部４１ｄから種別指標部４０ｄのみが見え、現在顕微鏡の光路中に入っている光学素子２４ｄの種類を表す種別表示部材３７ｄのみを指すことで種類判別を可能にしている。これにより、種別表示部材３７の大きさは第１の実施の形態と若干異なるが、大きいまま用いることができ操作性が向上する。また、第１の実施の形態と同じように、位置指標部３９、固定指標部４２は無くてもよい。
【００９８】
また、装着されている光学素子２４の全ての種別、現在顕微鏡の光路中にある光学素子２４の種別、光学部材を切換える際目的とする光学素子２４への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【００９９】
（第３の実施の形態）
図９は、本第３の実施の形態によるコンデンサターレット７の上面図である。第３の実施の形態では、構成は第１、第２の実施の形態とほぼ同様であるが、異なる構成として、光学素子２４が８個装着可能な回動式コンデンサターレット７において、図９に示すように顕微鏡の光路に入る光学素子２４の全切換え区間中の１区間で、種別表示部材３７を指す一つの種別指標部４０ａが、ある二つの種別表示部材３７ａと３７ｈの指し示しを兼ねることで、種別指標部４０の数を１個減らしている。
【０１００】
図９において、上部カバー２９の上面から見て回転軸３０と光軸１３とを含む直線を中心として、時計回り方向をｒ１系、反時計回り方向をｒ２系とする。ｒ１系では、回転軸３０を中心にして顕微鏡の光軸１３上に光学素子２４ａがある場合、これに対応する種別指標部４０ａは、回転軸３０をはさんだ光学素子２４ａので反対側から、回転軸３０に対して時計回りに２２．５゜ずらして配置されている。これに対応する種別表示部材３７ａは、光軸１３と回転軸３０とを含む直線に対して時計回りに２２．５゜ずらして配置されている。
【０１０１】
同様に、光学素子２４ｂの場合は、種別指標部４０ｂと種別表示部材３７ｂは１６゜、光学素子２４ｃの場合は、種別指標部４０ｃと種別表示部材３７ｃは９．７゜、光学素子２４ｄの場合は、種別指標部４０ｄと種別表示部材３７ｄは３．２゜、それぞれ時計回りにずらして配置されている。
【０１０２】
ｒ２系では、光軸１３上に光学素子２４ｅがある場合、これに対応する種別指標部４０ｅは、回転軸３０をはさんだ光学素子２４ｅの反対側から、回転軸３０に対して反時計回りに３．２゜ずらして配置されている。これに対応する種別表示部材３７ｅは、光軸１３と回転軸３０とを含む直線に対して反時計回りに３．２゜ずらして配置されている。
【０１０３】
同様に、光学素子２４ｆの場合は、種別指標部４０ｆと種別表示部材３７ｆは９．７゜、光学素子２４ｇの場合は、種別指標部４０ｇと種別表示部材３７ｇは１６゜、光学素子２４ｈの場合は、種別指標部４０ｈと種別表示部材３７ｈは２２．５゜、反時計回りにずらして配置されている。
【０１０４】
次に、上記のように構成された光学部材切換え装置の動作について説明する。図２、図３、図９に示すような回動式のコンデンサターレット７において、ターレット部２８が回転して、Ｖ溝３６が穴３３と一致すると、ターレット部２８の位置決めがされる。その際、ターレット部２８に設けられている位置指標部３９は、上部カバー２９の上面に設けられている開口部４１内に現れ、光軸１３と回転軸３０とを結ぶ直線上で、光軸１３に対向して位置する。
【０１０５】
このとき、上部カバー２９上の固定指標４２と上部カバー２９上の開口部４１から見えるターレット部２８の操作面２８ａ上の位置指標部３９とが一致しているため、目視でも位置決めされたことが認識できる。
【０１０６】
次に図９に沿って説明する。図９の状態から、目的とする光学素子２４ａに変更する際、現在種別指標部４０ａが指す種別表示部材３７ｈと、切換え目的先の光学素子２４ａの種類を表す種別表示部材３７ａとの位置関係より、ターレット部２８を反時計回りに回転させる。ターレット部２８は、光学素子２４ａが光軸１３に入り位置決めされるまで回転させる。同様にして、種別表示部材３７の並び順を見ることで、目的とする光学素子２４に変更する際にターレット部２８の回転方向と回転量が認識できる。
【０１０７】
特に例えば光軸１３に光学素子２４ｈ入っている場合、種別指標部４０ａは種別表示部材３７ｈを指しており、光学素子２４ａに変更すると、その種別表示部材３７ｈを指していた種別指標部４０ａが種別表示部材３７ａを指す。
【０１０８】
回転途中で種別指標部４０ａが目的とする光学素子２４ａと異なる種類の種別表示部材３７を指す位置にくるが、位置指標部３９が固定指標４２と一致していない、またはＶ溝３６が穴３３と一致しておらず位置決めされていないことから、目的とする光学素子２４ａが位置決めされた状態ではなく、切換え途中であることが認識できる。
【０１０９】
図２、図３、図９に示したような光学素子２６が８個装着できる回動式のコンデンサターレット７では、図９に示すように種別表示部材３７を指す一つの種別指標部４０ａが、ある２つの種別表示部材３７ａと３７ｈの指し示しを兼ねることで、開口範囲を大きくすることができ（図９のように光学素子数８個では、通常４５゜を約５２゜まで大きくできる）、これにより種別表示部材３７も大きいまま用いることができ操作性が向上する。
【０１１０】
また、装着されている光学素子２４の全ての種別、現在顕微鏡の光路中にある光学素子２４の種別、光学部材を切換える際目的とする光学素子２４への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【０１１１】
（第４の実施の形態）
図１０〜図１３は、本第４の実施の形態によるコンデンサターレット７の上面図である。第４の実施の形態は、構成は第１、第２、第３の実施の形態とほぼ同様であるが、異なる構成として、光学素子２４が装着可能な回動式のコンデンサターレット７において、図１０に示すように顕微鏡の光路に入る光学素子２４（２４ａ〜２４ｃ）の大きさが異なる場合に適用される。
【０１１２】
図１０は、第１の実施の形態と同様に開口部４１を複数（４１ａ、４１ｂ）にした場合に適用した第１例、図１１は、第２の実施の形態と同様に開口部４１の数を単一にした場合に適用した第２例、図１２は、第２の実施の形態の変形例と同様に開口部４１を各種別（４１ａ〜４１ｈ）に設けた場合に適用した第３例、図１３は、第３の実施の形態と同様に一つの種別指標部３７ａが２種類の種別表示部（３７ａ、３７ｈ）を兼ねる場合に適用した第４例である。
【０１１３】
本第４の実施の形態の動作は、図１０の場合は第１の実施の形態と同様、図１１の場合は第２の実施の形態と同様、図１２の場合は第２の実施の形態の変形例と同様、図１３の場合は第３の実施の形態と同様である。
【０１１４】
また、本第４の実施の形態の効果は、図１０の場合は第１の実施の形態と同様、図１１の場合は第２の実施の形態と同様、図１２の場合は第２の実施の形態の変形例と同様、図１３の場合は第３の実施の形態と同様である。
【０１１５】
（第５の実施の形態）
第５の実施の形態では、本発明の顕微鏡の光学部材切換え装置を、蛍光顕微鏡に用いられ、可動部材に取り付くフィルタカセットが回動式に切り換わる落射投光管に適用した場合について説明する。
【０１１６】
図１４，図１５（ａ）は、図１に示した落射投光管３の一部を示す図であり、図１４は落射投光管３の部分構成を示す外観図、図１５（ａ）は落射投光管３の部分外観図である。
【０１１７】
落射投光管３は、複数のフィルタカセット１９が取り付く可動部材であるターレット部２８と可動部材の支点となる回転軸３０とを収納する収納部４４と、投光管部４５から構成されている。
【０１１８】
投光管部４５の上面と底面には、メスアリ４６とオスアリ２６が設けられており、これら二つのアリの中心軸は一致している。底面のオスアリ２６により落射投光管３を境体１に取付けている。また、上面のメスアリ４６には鏡筒２が取付けられる。なお、鏡体１に落射投光管３を取り付けた際、取り付けアリの中心軸と顕微鏡の光軸１３とは一致している。
【０１１９】
投光管部４５の端部には、水銀ランプやＸｅランプを収納した落射光源８が取り付けられている。投光管部４５は、落射光源８からの光軸１６が顕微鏡の光軸１３と直角に交わる位置で、収納部４４における操作面４４ａの対面に取り付けられている。
【０１２０】
収納部４４の内部には、フィルタカセット１９が装着可能な可動部材であるターレット部２８が収納されている。ターレット部２８は、フィルタカセット１９のオスアリと嵌まり合う複数のメスアリを有しており、図１４，図１５（ａ）においてはフィルタカセット１９を８個装着可能である。
【０１２１】
ターレット部２８は、回転軸３０により固定部に対し回転可能に支持されている。ターレット部２８は、半径Ｒの円周上に８つのフィルタカセット１９がメスアリとオスアリにより取り付く、オスアリを有した薄い円柱状をなし、回転軸３０を中心軸に回転可能である。回転軸３０は光軸１３と平行をなし、光軸１３と回転軸３０の距離はＲである。ターレット部２８は、図示しないクリック機構により、フィルタカセット１９の中心軸が光軸１３と一致する８箇所で位置決めされる。
【０１２２】
以下、操作面４４ａから見て光軸１３方向の位置を縦方向とし、鏡体１側を下側、鏡筒２側を上側として説明する。
【０１２３】
収納部４４の操作面４４ａには、ターレット部２８の一部が外面に露出するように開口部４１が設けられており、その開口部４１に沿うかたちで上下に種別表示部材３７をそれぞれ４個並べて取付け可能な凹部等からなる取り付け部３８ａ，３８ｂが設けられている。また開口部４１の上辺の中点に（この位置は横方向では光軸１３上である）、固定指標４２を設けている。
【０１２４】
８個の種別表示部材３７（３７ａ〜３７ｈ）には、各フィルタカセット１９の種類を表すよう、例えば狭帯域のＵ励起用のフィルタカセット１９ａであればＮＵと、広帯域のＧ励起用のフィルタカセット１９ｄであればＷＧというように、フィルタカセット１９の励起帯域の略号が記されている。さらに、取り付け部３８と種別表示部材３７のどちらか一方を磁石、他方を磁性部材で構成したため、種別表示部材３７は取り付け部３８に対して装脱着が可能である。
【０１２５】
ターレット部の操作面２８ａには、位置指標部３９と種別指標部４０が、収納部４４の操作面側４４ａには、種別表示部材３７と開口部４１が設けられている。位置指標部３９は、ターレットの上面から見て、光軸３０とフィルタカセット１９の中心を結ぶ直線と交わる円柱の母線上に８箇所設けられている。各種別指標部４０は、ターレット部２８が可動し位置決めされる毎に収納部４４の操作面上の開口部４１に沿うように上下並んだ種別表示部材３７を順番に指していくように設けられている。
【０１２６】
開口部４１の上部に並んだ種別表示部３７を指す種別指標部４０は、ターレット部２８の操作面上を上側と下側の２つに分ける中心線から上側半分の領域に並べて設けられ、また開口部４１の下部に並んだ種別表示部３７を指す種別指標部４０は、ターレット部２８の操作面上の中心線から下側半分の領域に並べて設けられている。
【０１２７】
ターレット部２８がクリック機構によって位置決めされると、収納部４４上の固定指標４２と開口部４１内に現れる位置指標部３９が一致するため、目視で位置決めされたことが認識できる。
【０１２８】
なお、図１４，図１５（ａ）は、装着できるフィルタカセット数が８個の場合の回動式投光管に本光学部材切換え装置を適用した場合を示す。
【０１２９】
次に、上記のように構成された光学部材切換え装置の動作について説明する。目的とするフィルタカセット１９に変更する際、現在種別指標部４０が指す種別表示部材３７と、切換え目的先のフィルタカセット１９の種別表示部材３７との位置関係より、ターレット部２８の回転方向と回転量が認識できる。回転途中で、種別指標部４０が目的とするフィルタカセット１９と異なる種類の種別表示部材３７を指す位置にくるが、位置指標部３９が固定指標４２と一致していない、またはクリックが入っておらず位置決めされていないことから、目的のフィルタカセット１９が位置決めされた状態ではなく、切換え途中であることが認識できる。
【０１３０】
図１４，図１５（ａ）に示したようなフィルターカセット１９を８個装着できる回動式の落射投光管３では、通常、種別表示部材３７が設けられる範囲は３６０゜÷８＝４５゜になり、種別表示部材３７を１段で表示する場合、４５゜の範囲内で８個の種別表示部材３７を順に並べる必要があり、各種別表示部材３７は小さくなってしまう。
【０１３１】
しかし、本第５の実施の形態のように種別表示部材３７を複数段（３７ａ〜３７ｄの群と３７ｅ〜３７ｈの群）にした場合では、実質表示範囲を４５゜×２＝９０゜の範囲にでき、種別表示部材３７の大きさもそれに対応して大きくできるため、表示がわかり易くなり、これにより操作性が向上する。
【０１３２】
また、装着されているフィルターカセット１９の全ての種別、現在顕微鏡の光路中にあるフィルターカセット１９の種別、光学部材を切換える際目的とするフィルターカセット１９への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【０１３３】
（第５の実施の形態の変形例１）
本変形例の構成は第５の実施の形態とほぼ同じであるが、異なる構成として、図１５（ａ）では平面状をなしていた操作面４４ａを、図１５（ｂ）に示すように曲面状のままとしてもよい。また、図１６（ａ）（ｂ）に示すように、開口部４１に沿うよう上下段に並べた種別表示部材３７を、上下の位置関係をずらして設けている。これにより、種別指標部４０が上側の種別表示部（３７ａ〜３７ｄ）を指す位置にあるときは、下側の種別表示部（３７ｅ〜３７ｈ）を指す位置からずれているので、種類判別がし易くなる。
【０１３４】
（第５の実施の形態の変形例２）
第５の実施の形態においては、ターレット部２８にクリックによる位置決め機構を用いてあり、位置決めされたことが容易に認識できるので、位置指標部３９は必ずしも必要としない。
【０１３５】
（第５の実施の形態の変形例３）
第５の実施の形態においては、ターレット部２８が位置決めされると、位置指標部３９は光軸１３と回転軸３０とを結ぶ直線上で、光軸１３と対向して位置するよう開口部４１内にあらわれ、容易に認識できたり、また上述のように位置決め機構による場合と同様に容易に認識できるので、固定指標４２は必ずしも必要としない。
【０１３６】
（第６の実施の形態）
第６の実施の形態では、本発明の顕微鏡の光学部材切換え装置を、蛍光顕微鏡に用いられ、可動部材に取り付くフィルタカセットが直動式に切り換わる落射投光管に適用した場合について説明する。
【０１３７】
図１７〜図２１は、図１に示した落射投光管３の一部を示す図であり、図１７は落射投光管３の全体の概観図、図１８は図１７におけるＹ方向断面図、図１９は図１７におけるＸ方向断面図、図２０は落射投光管３の部分断面図、図２１は直動式可動部材の側面図である。
【０１３８】
図１７に示すように、落射投光管３は、複数のフィルタカセット１９を収納する収納部４４と、複数のフィルタカセット１９が取り付く直動式可動部材５０を収納した投光管部４５から構成されている。
【０１３９】
収納部４４の上面と底面には、メスアリ４６とオスアリ２６が設けられており、これら二つのアリの中心軸は一致している。底面のオスアリ２６により落射投光管３を境体１に取付けている。また、上面のメスアリ４６には鏡筒２が取付けられる。なお、鏡体１に落射投光管３を取り付けた際、取り付けアリの中心軸と顕微鏡の光軸１３とは一致している。
【０１４０】
投光管部４５の端部には、水銀ランプやＸｅランプを収納した落射光源８が取り付けられている。投光管部４５は、落射光源８からの光軸１６が顕微鏡の光軸１３と直角に交わる位置で、収納部４４における操作面４４ａの対面に取り付けられている。
【０１４１】
図１８〜図２０に示すように、収納部４４の内部には、直線移動を可能にするガイド５１が取り付いており、ガイド５１には直動式可動部材５０が取り付いている。直動式可動部材５０は、ガイド５１により顕微鏡の光軸１３と投光管部の光軸１６のそれぞれに対して直角な方向に移動可能である。直動式可動部材５０の移動方向と直角をなす側面５０ｂには、直動式可動部材５０と平行な中心軸を持つ、操作ツマミ５２が取付けられている。
【０１４２】
操作ツマミ５２により、落射投光管３の外側からフィルタカセット１９の切換え操作が可能である。直動式可動部材５０は、フィルタカセット１９のオスアリと嵌まり合うメスアリを有しており、フタ５３を外すことで露出する直動式可動部材５０にフィルタカセットを８個取り付け可能である。
【０１４３】
図１８に示すように、直動式可動部材５０の壁面の一つである表示面５０ａには、Ｖ字型の断面をなすＶ溝３６が、直動式可動部材５０の移動方向と平行に８ヶ所設けられている。また、各Ｖ溝３６は、直動式可動部材５０に取付けられた８つのフィルタカセット１９それぞれの中心５４に対応する位置に形成されている。
【０１４４】
収納部４４の内側には穴３３が未貫通に設けられている。直動式可動部材５０の表示面５０ａから見た穴３３の位置は、光軸１３上で且つ直動式可動部材５０の移動によりＶ溝３６が通過する範囲に位置する。穴３３にはバネ３４とボール３５が挿入されている。これらＶ溝３６、バネ３４、ボール３５によりクリック機構を構成している。
【０１４５】
以下、各部の位置関係を説明する。この際、光軸１３に沿う方向を縦方向とし、鏡体１側を下側、鏡筒２側を上側として説明する。また直動式可動部材５０の移動方向を横方向とし、操作ツマミ５２側を右側として説明する。
【０１４６】
収納部４４の操作面４４ａには、開口部４１が複数（４１ａ，４１ｂ）設けられている。その開口部４１に沿うかたちで並ぶ種別表示部材３７を８個取り付け可能な凹部等からなる取り付け部３８が設けられている。また開口部４１の上辺の中点に（この位置は横方向では光軸１３上である）、固定指標４２を設けている。
【０１４７】
８個の種別表示部材３７（３７ａ〜３７ｈ）には、各フィルタカセット１９の種類を表すよう、例えば狭帯域のＵ励起用のフィルタカセット１９ａであればＮＵと、広帯域のＧ励起用のフィルタカセット１９ｄであればＷＧというように、フィルタカセット１９の励起帯域の略号が記されている。さらに、取り付け部３８と種別表示部材３７のどちから一方を磁石、他方を磁性部材で構成したため、種別表示部材３７は取り付け部３８に対して装脱着が可能である。
【０１４８】
図２１に示すように、直動式可動部材５０の表示面５０ａには、位置指標部３９と種別指標部４０（４０ａ〜４０ｈ）を、収納部４４の表示（操作）面側４４ａには、種別表示部材３７（３７ａ〜３７ｈ）と開口部４１（４１ａ，４１ｂ）を設けている。位置指標部３９は、直動式可動部材５０の表示面５０ａ上である、フィルタカセット１９の中心軸を含む移動方向と直角な断面（図１７におけるＸ断面）の外周上に８箇所設けてある。
【０１４９】
各種別指標部４０は、直動式可動部材５０が可動し位置決めされる毎に収納部４４の操作面上の開口部４１に沿うように並んだ種別表示部材３７を、顕微鏡の光路に入るフィルタカセット１９の種類順に指していくように設けられている。種別指標部４０は、装着可能なフィルタカセット１９が８個の場合は８個設けることになる。
【０１５０】
また、開口部４１を複数設けることで、開口部４１が単一の場合はフィルタカセット１９の横幅分しか開口範囲を設けられないところ、横幅の複数倍設けることができ、種別表示部４０が設けられる表示範囲もそれに対応した範囲になる。
【０１５１】
各種別表示部材３７は、表示範囲２Ｌの中に、等間隔Ｌ／４で並べられている。操作ツマミ５２を横移動方向に送ることで、それに連動して直動式可動部材５０が移動していき、Ｖ溝３６が穴３３と一致すると、直動式可動部材５０の位置決めがされる。その際、収納部４４上の固定指標４２と開口部４１内に現れる位置指標部３９が一致するため、目視で位置決めされたことが認識できる。
【０１５２】
直動式可動部材５０に装着するフィルタカセット１９の並び順と、種別指標部４０が指す収納部４４に取り付けられる種別表示部材３７の並び順とが対応するように、各フィルタカセット１９が直動式可動部材５０に装着されている。
【０１５３】
次に、上記のように構成された光学部材切換え装置の動作について説明する。図１７〜図２１に示すような落射投光管３において、直動式可動部材５０を横移動方向に移動させ、Ｖ溝３６が穴３３と一致すると、直動式可動部材５０の位置決めがされる。その際、収納部４４上の固定指標４２と直動式可動部材５０の表示面５０ａ上の位置決め指標３９とが一致しているため、目視でも位置決めされたことが認識できる。
【０１５４】
次に、目的とする別のフィルタカセット１９に切換える際、現在種別指標部４０が指す種別表示部材３７と、切換え目的先のフィルタカセット１９の種別表示部材３７との位置関係より、直動式可動部材５０の移動方向と移動量が認識できる。移動途中で種別指標部４０が目的とするフィルタカセット１９と異なる種類の種別表示部材３７を指す位置にくるが、位置指標部３９が固定指標４２と一致していない、またはＶ溝３６が穴３３と一致しておらず位置決めされていないことから、目的とするフィルタカセット１９が位置決めされた状態ではなく、切換え途中であることが認識できる。
【０１５５】
直動式投光管において、開口部４１を単一にした場合、直動式可動部材５０の移動によるフィルタカセット１９の切換え、位置決まり時に、開口部４１中に種別指標部３９が一つのみ表れて種別表示部３７を指すとすると、開口部４１の大きさはフィルタカセット１９の横幅程度しか設けられず、種別表示部材３７の表示範囲もそれに対応して小さくなり、種類判別が困難になる。また、開口部４１中に種別指標部４０が複数表れても良いとすると、開口部４１は大きくできるものの、複数の種別指標部３９が複数の種別表示部３７を指してしまうなど、種類判別が困難になる。
【０１５６】
そこで、図２０のように開口部４１を複数設けることで、開口部が単一の場合の複数倍の表示範囲を設けることが可能になり、且つ各開口部４１中に種別指標部４０が一つのみあらわれ顕微鏡の光路中にあるフィルタカセット１９の種別を指すことができるので、種類判別がし易くなる。
【０１５７】
また、装着されているフィルターカセット１９の全ての種別、現在顕微鏡の光路中にあるフィルターカセット１９の種別、光学部材を切換える際目的とするフィルターカセット１９への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【０１５８】
（第６の実施の形態の変形例１）
本変形例の構成は第６の実施の形態とほぼ同じであるが、異なる構成として、図２２に示すように、顕微鏡の光軸１３中にフィルターカセット１９ｅが入り、直動式可動部材５０の位置決め時に、開口部４１中に種別指標部４０が複数（４０ｅ、４０ｆ）表れるようにしている。しかし、顕微鏡の光軸１３中にあるフィルタカセット１９ｅの種類をあらわす種別表示部材３７ｅのみを指す種別指標部４０ｅは一つであり、それ以外の種別指標部４０ｆは種別表示部材３７ａと３７ｂの間を指すなどして、種別表示部材３７を指さないように構成されている。そのために、複数の種別表示部材３７は、例えば［２６／１５×Ｌ］のように２Ｌよりわずかに狭い範囲に、等間隔で並べられている。
【０１５９】
これにより、第６の実施の形態と同様に開口範囲を広くでき、それに対応して種別表示部材３７の表示可能範囲を大きくとることができ、装着可能なフィルタカセット１９の数が増えても各種別表示部材（３７ａ〜３７ｈ）の大きさは小さくなることがなく、大きいまま設けることができるので、種類判別がし易くなり、操作性が向上する。
【０１６０】
また、装着されているフィルターカセット１９の全ての種別、現在顕微鏡の光路中にあるフィルターカセット１９の種別、光学部材を切換えの際目的とするフィルターカセット１９への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【０１６１】
（第６の実施の形態の変形例２）
本変形例２の構成は上記変形例１の要素に加え、図２３に示すように、直動式可動部材５０を可動させ顕微鏡の光路中に入るフィルタカセット１９が切り換わる毎に、種別表示部材３７を指していく種別指標部４０がそれぞれ見えるように、開口部４１（４１ａ〜４１ｈ）を、それぞれ各種別表示部（３７ａ〜３７ｈ）の近傍毎に設けている。なお、複数の種別表示部材３７は、上記変形例１と同様、例えば［２６／１５×Ｌ］のように２Ｌよりわずかに狭い範囲に、等間隔で並べられている。
【０１６２】
これにより、上記変形例１では現在顕微鏡の光軸１３中にあるフィルタカセット１９ｅの種類を表す種別表示部材３７ｅのみを種別指標部４０ｅが指すものの、開口部４１中に複数の種別指標部（４０ｅ、４０ｆ）があらわれてしまっていたが、本変形例２では図２３に示すように各種別表示部材３７（３７ａ〜３７ｈ）個々に対して各開口部（４１ａ〜４１ｈ）を設け、直動式可動部材５０を移動させ位置が決まる際に、種別表示部材３７ｅを指す種別指標部４０ｅが一つしか見えないようにすることで、種類判別を明確にしている。また、種別表示部材３７の大きさも大きいまま用いることができ、種類判別がし易くなり、操作性が向上する。
【０１６３】
また、装着されているフィルターカセット１９の全ての種別、現在顕微鏡の光路中にあるフィルターカセット１９の種別、光学部材を切換える際目的とするフィルターカセット１９への操作方向と操作量を、一ヶ所の表示を見るだけで容易に認識でき、最短移動方向を認識できる。さらに、構成要素が少ないため、確実で安価な顕微鏡の光学部材切換え装置を提供できる。
【０１６４】
（第６の実施の形態の変形例３）
第６の実施の形態においては、直動式可動部材５０と収納部４４との間にクリックによる位置決め機構を用いてあり、位置決めされたことが容易に認識できるので、位置指標部３９は、必ずしも必要としない。
【０１６５】
（第６の実施の形態の変形例４）
第６の実施の形態においては、直動式可動部材５０が位置決めされると、位置指標部３９は開口部４１内にあらわれ、容易に認識できたり、また上述のような位置決め機構による場合と同様に容易に認識できるので、固定指標４２は必ずしも必要としない。
【０１６６】
（全実施の形態の変形例）
本変形例の構成は上記した全実施の形態と異なり、種別表示部材３７と種別指標部４０を配色し、可動部材の切換え、位置決まり時に、種別指標部４０とその種別指標部４０が指す種別表示部３７とが同じ色をなすようにしている。
【０１６７】
本変形例の動作は、各実施の形態と同様である。
【０１６８】
本変形例では、顕微鏡の光学部材切換え装置において、種別表示部材３７と種別指標部４０とを対応した色で配色することで、種類判別をより明確にすることができ、操作性が向上する。
【０１６９】
本発明は上記各実施の形態のみに限定されず、要旨を変更しない範囲で適時変形して実施できる。
【０１７０】
【発明の効果】
本発明によれば、光学部材の種別を一個所にすべて表示し、現在光路中にある光学部材の種別と切換え目的先の光学部材の順番とを一個所の表示で直接認識できることに加え、例えば光学部材が８個装着できる顕微鏡のコンデンサターレット等のようなポジション数の多い光学部材切換え装置に適用した場合でも、種別表示部材を大きいままで用いることができ、種類判別がし易くなり、操作性が向上する顕微鏡の光学部材切換え装置を提供できる。
【図面の簡単な説明】
【図１】本発明の第１の実施の形態に係る光学部材切換え装置を適用した顕微鏡全体の構成を示す図。
【図２】本発明の第１の実施の形態に係るコンデンサの全体構成を示す外観図。
【図３】本発明の第１の実施の形態に係るコンデンサの部分断面図。
【図４】本発明の第１の実施の形態に係るコンデンサの上面図。
【図５】  本発明の第１の実施の形態の変形例１に係るコンデンサの上面図。
【図６】  本発明の第１の実施の形態の変形例４に係るコンデンサの上面図。
【図７】  本発明の第２の実施の形態に係るコンデンサの上面図。
【図８】本発明の第２の実施の形態の変形例に係るコンデンサの上面図。
【図９】本発明の第３の実施の形態に係るコンデンサの上面図。
【図１０】  本発明の第４の実施の形態の第１例に係るコンデンサの上面図。
【図１１】  本発明の第４の実施の形態の第２例に係るコンデンサの上面図。
【図１２】  本発明の第４の実施の形態の第３例に係るコンデンサの上面図。
【図１３】  本発明の第４の実施の形態の第４例に係るコンデンサの上面図。
【図１４】本発明の第５の実施の形態に係る落射投光管の一部を示す図。
【図１５】本発明の第５の実施の形態に係る落射投光管の一部を示す図。
【図１６】本発明の第５の実施の形態の変形例に係る落射投光管の一部を示す図。
【図１７】本発明の第６の実施の形態に係る落射投光管の一部を示す図。
【図１８】本発明の第６の実施の形態に係る落射投光管の一部を示す図。
【図１９】本発明の第６の実施の形態に係る落射投光管の一部を示す図。
【図２０】本発明の第６の実施の形態に係る落射投光管の一部を示す図。
【図２１】本発明の第６の実施の形態に係る落射投光管の一部を示す図。
【図２２】本発明の第６の実施の形態の変形例に係る落射投光管の一部を示す図。
【図２３】本発明の第６の実施の形態の変形例に係る落射投光管の一部を示す図。
【図２４】従来例に係る蛍光顕微鏡における光学系の構成を示す図。
【図２５】従来例に係る位相差顕微鏡における光学系の構成を示す図。
【符号の説明】
１…顕微鏡本体
２…鏡筒
３…落射投光管
４…レボルバ
５…対物レンズ
６…ステージ
７…コンデンサターレット
８…落射光源
９…光源
１３…光軸
４３…ステージ受
４７…試料
５５…偏向部材
５６…接眼レンズ
２３…コンデンサレンズ
２４…光学素子（光学部材）
２７…底部
２８…ターレット部
２９…上部カバー
３０…回転軸
３３…穴
３４…バネ
３５…ボール
３６…Ｖ溝
３７…種別表示部材
３８…取り付け部
３９…位置指標部
４０…種別指標部
４１…開口部
４２…固定指標
４４…収納部
４５…投光管部
５０…直動式可動部材
５１…ガイド
５２…操作ツマミ
【図１】
0004812160.tif 000002
【図２】
0004812160.tif 000003
【図３】
0004812160.tif 000004
【図４】
0004812160.tif 000005
【図５】
0004812160.tif 000006
【図６】
0004812160.tif 000007
【図７】
0004812160.tif 000008
【図８】
0004812160.tif 000009
【図９】
0004812160.tif 000010
【図１０】
0004812160.tif 000011
【図１１】
0004812160.tif 000012
【図１２】
0004812160.tif 000013
【図１３】
0004812160.tif 000014
【図１４】
0004812160.tif 000015
【図１５】
0004812160.tif 000016
【図１６】
0004812160.tif 000017
【図１７】
0004812160.tif 000018
【図１８】
0004812160.tif 000019
【図１９】
0004812160.tif 000020
【図２０】
0004812160.tif 000021
【図２１】
0004812160.tif 000022
【図２２】
0004812160.tif 000023
【図２３】
0004812160.tif 000024
【図２４】
0004812160.tif 000025
【図２５】
0004812160.tif 000026